(57)【要約】  【課題】  シリンダ錠を用いる場合に比べてコストを抑えられ、且つメンテナンス費用も抑えられる施錠装置の提供。  【解決手段】  長方形の開口を形成するよう設けられた受枠部に載置される共同溝用蓋体の施錠装置で、蓋体の裏面側に、受枠部の下面に係合可能な施錠位置と受枠部の下面からの係合が解除される解錠位置とに位置変更自在なフックを蓋体の裏面側に設け、フックを蓋体の裏面に沿って直線状に移動自在に支持してフックを施錠位置と解錠位置とに位置変更させるための操作機構を設け、操作機構は、フックを施錠位置と解錠位置との間で操作するための操作体と、フックを施錠位置と開錠位置に保持する保持部とを設けた構成。  【選択図】  図７
0003118175.tif 000002
【実用新案登録請求の範囲】
【請求項１】
長方形の開口を形成するよう設けられた受枠部に載置される共同溝用蓋体の施錠装置であって、蓋体の裏面側に、受枠部に係合可能な施錠位置と受枠部から係合が解除される解錠位置とに位置変更自在なフックを蓋体の裏面側に設け、フックを蓋体の裏面に沿って直線状に移動自在に支持してフックを施錠位置と解錠位置とに位置変更させるための操作機構を設け、該操作機構は、フックを施錠位置と解錠位置との間で操作するための操作体と、フックを施錠位置と開錠位置に保持する保持部とを有していることを特徴とする共同溝用蓋体の施錠装置。
【請求項２】
操作体に一端側が連結されるとともに他端側が蓋体に連結されてフックを施錠位置側に付勢するばねが設けられていることを特徴とする請求項１記載の共同溝用蓋体の施錠装置。
【請求項３】
ばねは引張ばねであり、操作体はばねの引張方向に対して横方向で直交する方向の操作杆状部を有していることを特徴とする請求項２記載の共同溝用蓋体の施錠装置。
【請求項４】
フックの上面に受枠部に当接する平面部を有していることを特徴とする請求項１ないし請求項３の何れかに記載の共同溝用蓋体の施錠装置。
【請求項５】
保持部は、フックの下面に施錠位置と解錠位置に応じた距離だけ離れた係合部を対で形成し、係合部が係合される被係合部を有していることを特徴とする請求項１ないし請求項４の何れかに記載の共同溝用蓋体の施錠装置。
【請求項６】
被係合部は蓋体の裏面に垂下されて施錠位置と解錠位置に応じた距離だけ離れた枠状の案内部に形成されており、フックは案内部間で該案内部の挿通孔壁に渡して設けられていることを特徴とする請求項５記載の共同溝用蓋体の施錠装置。
【考案の詳細な説明】
【技術分野】
【０００１】
本考案は、蓋体の施錠装置に係り、特に施錠による防犯機能が必要な地下構造物用鉄蓋、例えば電線共同溝用蓋体の施錠装置に関する。
【背景技術】
【０００２】
従来の種の施錠装置は、ひとつの細長い開口部を形成する枠に複数枚の蓋を列状に嵌め込んで開口を閉じ、各蓋毎に二箇所、つまり蓋それぞれに二箇所の錠部を設けて施錠するようにしている。錠部は防犯対策のために、近年は、防犯性の高いシリンダ錠を採用する傾向にある（例えば、特許文献１参照）。
【０００３】
【特許文献１】特開平１１−２００３９４号公報
【考案の開示】
【考案が解決しようとする課題】
【０００４】
従来の共同溝用蓋体では、その錠部は、各蓋体に二個必要であるから、高価な錠部を使用すると装置のコストが高くなる。また、錠部の数が多くなると、メンテナンス費用も増加するという課題がある。
【０００５】
そこで本考案は、上記課題に鑑み、シリンダ錠を用いる場合に比べてコストを抑えられ、且つメンテナンス費用も抑えられる施錠装置の提供を課題とする。
【課題を解決するための手段】
【０００６】
本考案の施錠装置は、長方形の開口を形成するよう設けられた受枠部に載置される共同溝用蓋体の施錠装置であって、蓋体の裏面側に、受枠部に係合可能な施錠位置と受枠部から係合が解除される解錠位置とに位置変更自在なフックを蓋体の裏面側に設け、フックを蓋体の裏面に沿って直線状に移動自在に支持してフックを施錠位置と解錠位置とに位置変更させるための操作機構を設け、該操作機構は、フックを施錠位置と解錠位置との間で操作するための操作体と、フックを施錠位置と開錠位置に保持する保持部とを有していることを特徴としている。
【０００７】
上記構成において、施錠位置ではフックが受枠部に係合可能な施錠位置が保持部によって保持されている。施錠位置から操作機構の操作体を移動させると、フックは受枠部から係合が解除されて保持部によって解錠位置に保持されて、受枠部に係合するものがなくなるから、蓋体を受枠部から取外し可能となる。
【０００８】
操作体に一端側が連結されるとともに他端側が蓋体に連結されてフックを施錠位置側に付勢するばねが設けられていることを特徴としている。
【０００９】
上記構成において、フックはばねの弾性によって施錠位置側に付勢されており、フックが受枠部に係合可能な施錠位置が保持部によって保持されている。ばねの一端側はフックに連結さればねの他端側は蓋体に連結されており、施錠位置から操作機構の操作体をばねの弾性に抗して移動させるとばねが伸縮するとともに、フックは受枠部から係合が解除されて保持部によって解錠位置に保持されて、受枠部に係合するものがなくなるから、蓋体を受枠部から取外し可能となる。また、ばねの弾性によりフックが一方向へ付勢されることで、フックの姿勢が安定し易くなり、振動に対して特に施錠位置が確実に保持される。
【００１０】
本考案の共同溝用蓋体の施錠装置におけるばねは引張ばねであり、操作体はばねの引張方向に対して横方向で直交する方向の杆状の操作部を有したことを特徴としている。
【００１１】
上記構成において、操作体の操作部を操作するようにしてフックを施錠位置から解錠位置へ移動させるようにする際、操作部は杆状であるから把持がし易く、ばねの弾性に抗してフックを施錠位置から解錠位置に移動させる作業が楽に行える。
【００１２】
本考案の共同溝用蓋体の施錠装置は、フックの上面に受枠部に当接する平面部を有していることを特徴としている。
【００１３】
上記構成によれば、受枠部にフックが平面部、すなわち面で係合するようになるから、受枠部とフックとの係合面積を大きくすることが可能となり、両者の係合が確実となる。
【００１４】
本考案の共同溝用蓋体の施錠装置では、保持部は、フックの下面に施錠位置と解錠位置に応じた距離だけ離れた係合部を対で形成し、係合部が係合される被係合部を有していることを特徴としている。
【００１５】
上記構成において、フックはその施錠位置から直線的に移動させて解錠位置とすると、保持部によって解錠位置が確実に保持される。
【００１６】
本考案の共同溝用蓋体の施錠装置では、被係合部は蓋体の裏面に垂下されて施錠位置と解錠位置に応じた距離だけ離れた枠状の案内部に形成されており、フックは案内部間で該案内部の挿通孔壁に渡して設けられていることを特徴としている。
【００１７】
上記構成において、フックは挿通孔壁で案内されつつ施錠位置と解錠位置との間で移動するから、その移動が円滑に行われる。
【考案の効果】
【００１８】
本考案の施錠装置によれば、ばねを用いてフックを施錠位置に付勢する構成としたから、高価なシリンダ錠を用いることなく、メンテナンス費用の増加を抑えることが可能になる。
【考案を実施するための最良の形態】
【００１９】
以下、本考案の実施形態に係る共同電線溝の施錠装置を、図面に基づいて説明する。先ず、第一実施形態を説明する。
【００２０】
図１は共同電線溝を蓋体で覆った状態の蓋体の使用状態平面図、図２は要部拡大平面図、図３は図１の短手方向の縦断面図、図４はフックが施錠位置にある要部拡大平面図、図５はフックが解錠位置にある要部拡大平面図、図６は図４における短手方向の縦断面図、図７は図４に対応するフックの施錠位置を示す長手方向の要部拡大縦断面図、図８は図５に対応するフックの解錠位置を示す長手方向の要部拡大縦断面図である。
【００２１】
これらの図に示すように、共同溝１の側壁２を用いて長方形の開口を形成するよう受枠部３が設けられており、受枠部３は複数の受枠部材４からなっている。受枠部材４は下側の取付け板部５と、取付け板部５から一体に立設される縦壁部６とを有し、縦壁部６の高さ方向途中で受枠部材４の対向側で横方向（水平方向）に突出するフレーム状の係止条部７が一体に形成されている。係止条部７は縦断面が矩形に形成されており、その下面８はやや傾斜した平面とされている。
【００２２】
共同溝１は、大きさの異なる複数枚・複数種の蓋体１０,１１,１２によって覆われる。施錠装置１５は、複数種の蓋体１０,１１,１２のうち特定のものに設けられる。この実施形態では、施錠装置１５を設けた蓋体１０と、施錠装置として従来から用いられているシリンダ錠１６を用いた蓋体１１とがあり、これらを組合わせ、また異なる面積や、異なる材質の蓋体１０,１１,１２の組合わせによって共同溝１を隙間なく覆っている。
【００２３】
蓋体１０,１１の本体部１７は、例えばダクタイル鋳鉄から一体に製造されるもので、蓋体１２の本体部１９は例えば鉄筋コンクリート製である。例えば図１において、Ｄ１−Ｄ２の領域では、共同溝１は三種類の蓋体１０,１１,１２で覆われており、シリンダ錠１６を用いた蓋体１１は一体、施錠装置１５を設けた蓋体１０,１２は三体であり、そのうち蓋体１２が一体で、蓋体１０が二体である。これら蓋体１０,１１,１２の使用方法は、蓋体１０,１２を蓋体１１の装着用スペースを残して受枠部３に装着した後、蓋体１１をその装着用スペースに装着し、シリンダ錠１６を施錠するようにする。なお、シリンダ錠１６を施錠・解錠する構成の蓋体１１については従来のものと変更ないので、その説明の詳細を省略する。
【００２４】
また、蓋体１０,１１,１２を受枠部３から取外すには、先ず蓋体１１のシリンダ錠１６を解錠して蓋体１１を受枠部３から取外し、蓋体１１を取外した部分から作業者が共同溝１に入って、蓋体１０,１２の施錠装置１５を解錠することで蓋体１０,１２を受枠部３から取外すようにする。
【００２５】
次に、施錠装置１５を設けた蓋体１０,１２の構成を詳述する。施錠装置１５の構成は、蓋体１０,１２のサイズ等で異なるだけで、基本的構成は同一なので、図１のＤ１−Ｄ２領域の蓋体１０を代表して説明する。
【００２６】
図１および図２に示すように、蓋体１０は本体部１７と施錠装置１５とを有する。蓋体１０の本体部１７は、平面視して一方に長い長方形の平板状に形成されており、図４〜図６に示すように、その表面（上面）１８に格子状の補強リブ２０が形成されている。本体部１７の周囲四辺の表面に、斜め上方に傾斜する上フレーム部２１が形成されている。
【００２７】
本体部１７の裏面２２の周囲四辺に、下方に垂下して受枠部材４の取付け板部５の上面に載置される下フレーム部２３が形成されている。本体部１７の短手方向Ａ中心で、且つ長手方向Ｂ外方の両側が低くなる段部２５が形成されて、段部２５の中心に平面視矩形の開口２６が形成されている。段部２５の裏面に本体部１７とは別体の平板２７が開口２６を塞ぐよう固定されている。
【００２８】
次に、施錠装置１５の構成を説明する。施錠装置１５はフック２８と、フック２８を施錠位置Ｘと解錠位置Ｙとに位置変更させる（切替える）ための操作機構３０とを有する。
【００２９】
先ずフック２８の構成を説明する。フック２８は、図４および図５に示すように、平面視して矩形に形成されており、本体部１７の長手方向Ｂに長い長方形且つ平板状の係止板部３１と、図６に示すように、係止板部３１の短手方向Ａ両側から垂下する平板状の脚部３２,３３とから下側開放の断面コ字形に形成されている。
【００３０】
係止板部３１の平面状の上面が係止面３４である。図７および図８に示すように、脚部３２,３３の下面には、長手方向Ｂに離間した切欠３５,３６が形成されている。切欠３５,３６は被係合部に相当する。切欠３５,３６の形状として、長手方向Ｂ一方側（本体部１７の中心側）に向けて上傾斜した斜面３７,３８と、斜面３７,３８の長手方向Ｂ一方側端部から垂下する鉛直面４０,４１を有する。鉛直面４０,４１どうしは施錠位置Ｘと解錠位置Ｙに応じた距離だけ離れている。換言すれば、切欠３５,３６間の距離、特に鉛直面４０,４１間の距離Ｌ１は、フック２８を施錠位置Ｘと解錠位置Ｙとの間で切替える距離に等しく設定されている。
【００３１】
次に操作機構３０の構成を説明する。操作機構３０は、案内体と、フック２８を施錠位置Ｘに付勢する引張ばね４５と、フック２８を移動させるための操作体４６とを有する。
【００３２】
案内体は、長手方向Ｂ一対で設けられており、長手方向Ｂ外方の第一案内体４７と、長手方向Ｂ内方の第二案内体４８とから構成される。第一案内体４７、第二案内体４８が係合部に相当する。第一案内体４７は、矩形板状部材の板面の下方所定個所を穿つようにして第一案内穴５０を形成している。第一案内穴５０の周壁面がフック２８の案内面とされており、第一案内穴５０の周壁面のうち短手方向Ａの各側壁面５１は、フック２８の脚部３２,３３の各外側面を摺動案内する面である。第一案内穴５０の周壁面のうち底壁面５３はフック２８の脚部３２,３３の下面を摺動案内する面である。底壁面５３は水平に形成された平面である。
【００３３】
第二案内体４８は、矩形板状部材の板面の下方所定個所を穿つようにして第二案内穴５５を形成している。第二案内穴５５の周壁面がフック２８の案内面とされており、第二案内穴５５の周壁面のうち短手方向Ａの各側壁面５２は、フック２８の脚部３２,３３の各外側面を摺動案内する面である。第二案内穴５５の周壁面のうち底壁面５４はフック２８の脚部３２,３３の下面を摺動案内する面である。底壁面５４は長手方向Ｂ一方側に向けて上傾斜する傾斜面に形成されている。
【００３４】
第一案内穴５０と第二案内穴５５とは上下方向および短手方向Ａに位置ずれすることなく長手方向Ｂに対応（対向）した位置に形成されている。第一案内穴５０と第二案内穴５５の高さＨ１はフック２８の高さＨ２に比べて高く設定されており、第一案内穴５０と第二案内穴５５の天壁面５６,５７とフック２８の上面との間には隙間５８ができるようになっている。第一案内穴５０、第二案内穴５５の各天壁面５６,５７は、係止条部７の下面８に比べてわずかに低い位置に設定されている。
【００３５】
操作体４６はフック２８の脚部３２,３３の下面に固定されている。操作体４６は、長手方向Ｂに沿う両方の側部６０,６１と、短手方向Ａに沿う操作杆６２,６３とから平面視して短手方向Ａに長いフレーム形状を有している。操作杆６２,６３の短手方向Ａの中心部分がフック２８の裏面に固定されている。但し、操作杆６２,６３は、フック２８の切欠３５,３６を回避するよう固定されている。換言すれば、操作杆６２,６３の間に切欠３５,３６が配置されるよう構成されている。両方の側部６０,６１および操作杆６２,６３は断面円形に形成されている。操作杆６２,６３の対向部６２ａ,６３ａ間の距離Ｌ２は、第一案内体４７と第二案内体４８の対向面４７ａ,４８ａ間の距離Ｌ３に等しく設定されている。
【００３６】
第一案内体４７の短手方向Ａ中心の下端面４７ａにはさらに下方に突出する第一ばね係止部材６５が固定されている。第一ばね係止部材６５はボルト形状に形成されており、下部に、上部のばね掛け胴部６６に比べて大径の頭部６７が形成されている。操作杆６３の短手方向中心には下方に突出する第二ばね係止部材６８が固定されている。第一ばね係止部材６５に引張ばね４５の一端部４５ａが係止され、第二ばね係止部材６５に引張ばね４５の他端部４５ｂが係止されている。第二ばね係止部材６５はボルト形状に形成されており、下部に、上部のばね掛け胴部６８に比べて大径の頭部７０が形成されている。
【００３７】
この構成により、引張ばね４５は第一案内体４７、第二案内体４８の下方に位置しており、長手方向Ｂに伸縮するものであり、第一ばね係止部材６５、第二ばね係止部材６５、および操作体４６を介してフック２８を施錠位置Ｘに向けて付勢している。
【００３８】
上記構成の蓋体１０,１２では、フック２８が係止条部７の下面８下方に位置してフック２８の係止面３４が下面８に下方から係止し得る状態がフック２８の施錠位置Ｘである。図１のＤ１−Ｄ２領域で示すように、蓋体１０,１１,１２で共同溝１を覆っている状態では、フック２８の施錠位置Ｘにある。
【００３９】
蓋体１０,１１,１２で共同溝１を覆っているとき、施錠装置１５のフック２８が施錠位置Ｘにあってこれが保持されているから蓋体１０,１２は容易に開けることはできない。また蓋体１１はシリンダ錠１６が施錠状態にあるから、これも開けることは容易にできない。そして、共同溝１内は蓋体１０,１１,１２の組合わせで覆われているから、共同溝１内の設備を安全に維持することができる。
【００４０】
ところで、共同溝１内でメンテナンス作業を行うにあたってこれら蓋体１０,１１,１２を取外す場合には、先ずシリンダ錠１６を解錠して蓋体１１を取外す。そうすると、蓋体１１を取外した分だけのスペースが生じて（共同溝１が開放されて）、作業者が共同溝１内に入ることができる。続いて作業者は蓋体１０の取外し作業を行う。このとき施錠装置１５はそのフック２８が施錠位置Ｘにあるから、これを解錠位置Ｙに移動する必要がある。
【００４１】
引張ばね４５の弾性力が第一ばね係止部材６５、第二ばね係止部材６８、操作体４６を介してフック２８に働いていて、操作体４６の操作杆６２が第一案内体４７の対向面４７ａに当接し、第二案内体４８に操作杆６３が当接し、また、切欠３６の鉛直面４１が第二案内穴５５の底壁面５４によって形成された第二案内体４８の長手方向Ｂ内方の係止面４８ｂに当接して係止していることで、施錠位置Ｘが保持されている。なお、上記当接あるいは係止の一方であってもフック２８を引張ばね４５の弾性に抗して施錠位置Ｘに保持することは可能である。
【００４２】
操作体４６のうち例えば操作杆６３を作業者が把持して、引張ばね４５の弾性に抗して操作杆６３を水平な方向（作業者側）に引くようにする。そうすると、上記当接および係止が外れ、フック２８が第一案内穴５０の周壁面、第二案内穴５５の周壁面によって直線状に案内されて短手方向Ｂ内方に移動し、フック２８の係止板部３１の係止面３４が、係止条部７の下面８から退避して両者が対向しなくなる。これがフック２８の解錠位置Ｙである。
【００４３】
この解錠位置Ｙは次のようにして保持される。すなわち、フック２８を上記のようにして移動させると、フック２８が第一案内穴５０の周壁面、第二案内穴５５の周壁面によって案内されつつ切欠３５,３６間のフック２８の下面が第二案内穴５５の周壁面のうち底壁面５４を乗り越え、さらに作業者が操作体４６を移動させることで、切欠の斜面３７が第二案内穴５５の底壁面５４に当接し、ここで作業者は操作体４６を下げるようにすると、鉛直面４０が第二案内体４８の長手方向Ｂ内方の係止面４８ｂに当接して係止するようになる。鉛直面４０が第二案内体４８の係止面４８ｂに係止すれば、引張ばね４５の弾性がフック２８を施錠位置Ｘに付勢する方向に働いてもフック２８は施錠位置Ｘに復帰することなく解錠位置Ｙが保持される。なお、フック２８の解錠位置Ｙでは、操作杆６２の対向部６２ａが第二案内体４８の対向面４８ａに当接することが可能である。
【００４４】
上記施錠装置１５の構成によれば、高価なシリンダ錠１６を用いることなく施錠・解錠が可能となるからコストを低く抑えることができる。またシリンダ錠１６のような面倒なメンテナンスも不要である。
【００４５】
次に、図９ないし図１１に基づいて本考案の第二実施形態に係る共同溝１の施錠装置１５を説明する。図９は第二実施形態を示すフックが施錠位置にある要部拡大平面図、図１０はフックの施錠位置を示す長手方向の要部拡大縦断面図、図１１はフックの解錠位置を示す長手方向の要部拡大縦断面図である。これらの図に基づいて、第二実施形態に係る施錠装置１５が第一実施形態に係る施錠装置１５と異なる構成を説明する。
【００４６】
引張ばね４５,４５は短手方向Ａに離れて一対で設けられている。各引張ばね４５,４５の一端部４５ａは、第一案内体４７の下側部に短手方向Ａ外方に向けて突出する一対の小円柱の支持片７５,７６にそれぞれ係止されている。
【００４７】
操作体４６の操作杆６２は、フック２８の側面に、第一案内体４７と第二案内体４８の間で一体に連結され、操作体４６の操作杆６３は、第二案内体４８の側面における第二案内体４８より長手方向Ｂ内方側に一体に連結されている。他の構成は上記第一実施形態と同様であるので、同一の符号を付してその説明を省略する。
【００４８】
上記構成において、作業者は操作体４６の操作杆６３を把持して、引張ばね４５,４５の弾性に抗して移動させる（引く）と、引張ばね４５,４５の弾性によって施錠位置Ｘにあるフック２８が解錠位置Ｙとなり、第一実施形態と同様にしてその解錠位置Ｙが保持される。
【００４９】
第二実施形態において、引張ばね４５,４５は短手方向Ａに離間して対で設けられているから、フック２８の挙動が安定し易く、したがってフック２８の操作がし易くなる。
【００５０】
図１２および図１３は施錠装置１５の他の実施形態を示す要部拡大縦断面図で、図１２はフック２８の施錠位置Ｘを示し、図１３はフック２８の解錠位置Ｙを示している。図１２および図１３に示す実施形態では、引張ばね４５,４５を用いていない点で、第二実施形態で示した構成とは異なる。また、切欠３５,３６の形状が異なっている。
【００５１】
切欠３５,３６は、長手方向Ｂの一対の上面８０,８１が、水平面に対して異なる方向で同じ角度傾斜しており、これにより切欠３５,３６は側面視して二等辺三角形に形成されている。
【００５２】
第二案内穴５５の底壁面５４は、切欠３５,３６の上面８０,８１に対応するよう長手方向Ｂの一対で異なる傾斜面８５,８６に形成されている。他の構成は上記第二実施形態と同様であるので、同一の符号を付してその説明を省略する。
【００５３】
図１２および図１３に示した構成では、ばね（引張ばね）を用いておらず、フック２８に長手方向Ｂの力が働いていないから、切欠３５,３６の上面８０,８１と底壁面５４の傾斜面８５,８６との係合だけで、フック２８の施錠位置Ｘあるいは解錠位置Ｙを保持することが可能になる。
【図面の簡単な説明】
【００５４】
【図１】本考案の蓋体で共同電線溝を覆った蓋体の使用状態平面図。
【図２】同じく要部拡大平面図。
【図３】同じく図１の短手方向の縦断面図。
【図４】同じくフックが施錠位置にある要部拡大平面図。
【図５】同じくフックが解錠位置にある要部拡大平面図。
【図６】同じく図４における短手方向の縦断面図。
【図７】同じく図４に対応するフックの施錠位置を示す長手方向の要部拡大縦断面図。
【図８】同じく図５に対応するフックの解錠位置を示す長手方向の要部拡大縦断面図。
【図９】第二実施形態を示すフックが施錠位置にある要部拡大平面図。
【図１０】同じくフックの施錠位置を示す長手方向の要部拡大縦断面図。
【図１１】同じくフックの解錠位置を示す長手方向の要部拡大縦断面図。
【図１２】別の実施形態を示すフックの施錠位置を示す長手方向の要部拡大縦断面図。
【図１３】同じくフックの解錠位置を示す長手方向の要部拡大縦断面図。
【符号の説明】
【００５５】
１…共同溝、２…側壁、３…受枠部、４…受枠部材、５…取付け板部、７…係止条部、８…係止条部の下面、１０,１１,１２…蓋体、１５…施錠装置、１６…シリンダ錠、１７…本体部、２８…フック、３０…操作機構、３１…係止板部、３２,３３…脚部、３４…係止面、３５,３６…切欠、３７,３８…斜面、４０,４１…鉛直面、４５…引張ばね、４６…操作体、４７…第一案内体、４８…第二案内体、４７ａ,４８ａ…対向面、５０…第一案内穴、５１…側壁面、５２…側壁面、５３…底壁面、５４…底壁面、５５…第二案内穴、５６,５７…天壁面、６０,６１…側部、６２,６３…操作杆、６２ａ,６３ａ…対向部、６５…第一ばね係止部材、６８…第二ばね係止部材、Ａ…短手方向、Ｂ…長手方向、Ｘ…施錠位置、Ｙ…解錠位置
【図１】
0003118175.tif 000003
【図２】
0003118175.tif 000004
【図３】
0003118175.tif 000005
【図４】
0003118175.tif 000006
【図５】
0003118175.tif 000007
【図６】
0003118175.tif 000008
【図７】
0003118175.tif 000009
【図８】
0003118175.tif 000010
【図９】
0003118175.tif 000011
【図１０】
0003118175.tif 000012
【図１１】
0003118175.tif 000013
【図１２】
0003118175.tif 000014
【図１３】
0003118175.tif 000015